(57)【要約】【課題】本発明の課題は、水平連結部材の位置で眉頭部と、眉尻部の位置を簡単に割り出すことができ、かつ描かれる眉型の濃度が濃くなりすぎないようにできる眉描き補助具を提供することである。【解決手段】基準点Ｐから両外側に向かう均等な位置を決定することができる垂直支柱部材２を備え、この垂直支柱部材２の基準点Ｐ位置に、傾斜支柱部材３を傾斜角度可変自在となる状態で取り付け、基準点Ｐから所定寸法だけ上方側に離れた垂直支柱部材上の位置Ｃから水平方向に伸びて傾斜支柱部材３と交差する位置Ｄまで延伸する水平連結部材４を、前記垂直支柱部材２及び傾斜支柱部材３間に掛け渡される状態でセットし、この水平連結部材４は傾斜支柱部材３に対して平行スライド移動自在であり、かつ、傾斜支柱部材３又は水平連結部材４の少なくとも一方が垂直支柱部材２に対して平行スライド移動自在となる状態で係止されていることを特徴とする。【選択図】図１
2010184008.tif 000002
【特許請求の範囲】
【請求項１】
基準点Ｐから両外側に向かう均等な位置を決定することができる垂直支柱部材２を備え、この垂直支柱部材２の基準点Ｐ位置に、傾斜支柱部材３を傾斜角度可変自在となる状態で取り付け、基準点Ｐから所定寸法だけ上方側に離れた垂直支柱部材上の位置Ｃから水平方向に伸びて傾斜支柱部材３と交差する位置Ｄまで延伸する水平連結部材４を、前記垂直支柱部材２及び傾斜支柱部材３間に掛け渡される状態でセットし、この水平連結部材４は傾斜支柱部材３に対して平行スライド移動自在であり、かつ、傾斜支柱部材３又は水平連結部材４の少なくとも一方が垂直支柱部材２に対して平行スライド移動自在となる状態で係止されていることを特徴とする眉描き補助具。
【請求項２】
垂直支柱部材２が、基準点Ｐから両外側方向に向かう寸法目盛１３を形成したものであることを特徴とする請求項１記載の眉描き補助具。
【請求項３】
垂直支柱部材２が、基準点Ｐから両外側方向に均等に伸縮する構造のものであることを特徴とする請求項１記載の眉描き補助具。
【請求項４】
垂直支柱部材２が、基準点Ｐから折り曲げ可能な構造のものであることを特徴とする請求項１記載の眉描き補助具。
【請求項５】
水平連結部材４が、眉テンプレート５を備えたものであることを特徴とする請求項１乃至４のいずれかに記載の眉描き補助具。
【請求項６】
眉テンプレート５が取り替え可能であることを特徴とする請求項５記載の眉描き補助具。
【請求項７】
眉テンプレート５がメッシュ部材８を備えたものであることを特徴とする請求項５又は６記載の眉描き補助具。
【発明の詳細な説明】
【技術分野】
【０００１】
本発明は眉描き補助具に係り、さらに詳しくは、病気などの理由でもともとの眉がほとんど無くなった顔面の人々に対しても、自然な状態の眉を簡単に描くことができるサポートアイテムとしての眉描き補助具に関する。
さらには、生来眉毛の薄い人々とか、眉毛の毛根を抜きすぎて眉毛跡が判然としなくなった人々に対しても有効な眉描き補助具である。
【背景技術】
【０００２】
従来より、顔のタイプや好みに応じてバランスの良い眉型を描くために、各種の眉描き補助具が提案されてきた。
【０００３】
もともとの眉又は眉跡が残っていることを前提にして、すなわち残っている元の眉又は眉跡を基準として眉頭部又は眉尻部の位置を探り出し、そこを基準として好みの眉型を描き起こす補助具としては、下記のような公報が存在する。
【特許文献１】実用新案登録第３１０３６５９号公報
【特許文献２】実用新案登録第３１２６６２０号公報
【特許文献３】特開２００７−２０９５５７号公報
【発明の開示】
【発明が解決しようとする課題】
【０００４】
しかしながら、上記の特許文献１乃至３に示す眉描き補助具では、もともとの眉や眉跡が残っていない顔には適用することができず、そのような場合に上記の補助具を利用すると白紙の紙にいきなり線を書き入れるような感じになってしまい、眉頭部位置を決めることが困難となり、その結果眉を描く本人のセンスだけに頼らざるを得ないという不安を伴う問題があった。
【０００５】
さらに、眉頭部や眉尻部の位置が決まっても、眉テンプレートを利用して眉墨筆具（アイブロー）で眉型を描き起こしていくと、眉テンプレートが完全な抜き孔である場合には、異常に濃い（濃すぎる）眉型が描かれてしまうという問題もあった。
【０００６】
本発明は、眉頭部と、眉尻部のあるべき位置（美容学上、バランスの良いとされる位置）を、簡単に割り出してその位置を指し示すことができ、かつ必要に応じて備えられる眉テンプレートにはメッシュ部材を取り付けることで、描かれる眉型が濃くなりすぎないようにして、上記のすべての問題を解決できる眉描き補助具を提供せんとするものである。
【課題を解決するための手段】
【０００７】
本発明に係る眉描き補助具の請求項１のものは、基準点Ｐから両外側に向かう均等な位置を決定することができる垂直支柱部材２を備え、この垂直支柱部材２の基準点Ｐ位置に、傾斜支柱部材３を傾斜角度可変自在となる状態で取り付け、基準点Ｐから所定寸法だけ上方側に離れた垂直支柱部材上の位置Ｃから水平方向に伸びて傾斜支柱部材３と交差する位置Ｄまで延伸する水平連結部材４を、前記垂直支柱部材２及び傾斜支柱部材３間に掛け渡される状態でセットし、この水平連結部材４は傾斜支柱部材３に対して平行スライド移動自在であり、かつ、傾斜支柱部材３又は水平連結部材４の少なくとも一方が垂直支柱部材２に対して平行スライド移動自在となる状態で係止されていることを特徴とする眉描き補助具である。
【０００８】
また請求項２は、垂直支柱部材２が、基準点Ｐから両外側方向に向かう寸法目盛１３を形成したものであることを特徴とする請求項１記載の眉描き補助具である。
【０００９】
また請求項３は、垂直支柱部材２が、基準点Ｐから両外側方向に均等に伸縮する構造のものであることを特徴とする請求項１記載の眉描き補助具である。
【００１０】
さらに請求項４は、垂直支柱部材２が、基準点Ｐから折り曲げ可能な構造のものであることを特徴とする請求項１記載の眉描き補助具である。
【００１１】
ついで請求項５は、水平連結部材４が、眉テンプレート５を備えたものであることを特徴とする請求項１乃至４のいずれかに記載の眉描き補助具である。
【００１２】
また請求項６は、眉テンプレート５が取り替え可能であることを特徴とする請求項５記載の眉描き補助具である。
【００１３】
さらに請求項７は、眉テンプレート５がメッシュ部材８を備えたものであることを特徴とする請求項５又は６記載の眉描き補助具である。
【発明の効果】
【００１４】
本発明に係る眉描き補助具は、例えば抗がん剤治療を受けるなどの結果、眉毛が完全に抜け落ちて眉頭部や眉尻部位置がわからなくなったような人々に対しても、自分の顔に本発明に係る眉描き補助具をあてがい、眉毛の眉頭部位置と、眉尻部位置との位置決めとが簡単に行え、その位置決めによりアイブローで眉を描き入れることで、時間をかけることなくバランスの良い眉型を、顔のなかに簡単に描けるという優れた効果を発揮する。
【００１５】
さらに眉テンプレートにメッシュ部材を配設することで、メッシュ部材がアイブローの筆圧をガードするとともにベタ塗りの防止をし、アイブローで描かれる眉型が、不自然に濃くならないという優れた効果を発揮する。
【発明を実施するための最良の形態】
【００１６】
以下、図面を参照して本発明の眉描き補助具の実施の形態を説明するが、本発明はこれらの実施の形態に制限されるものではない。
図１は本発明の眉描き補助具の正面図であり、図２は垂直支柱部材に寸法目盛を備え、水平連結部材に眉テンプレートを備えた例の眉描き補助具の正面図であり、図３は本発明の眉描き補助具の垂直支柱部材を折り曲げて眉頭位置を決める状態を示す正面図であり、図４は図２におけるＡ−Ａ線の拡大断面図である。
【００１７】
図１乃至図４に示す本発明に係る眉描き補助具１は、垂直支柱部材２と傾斜支柱部材３とを、Ｖ字状又はＸ字状を呈する斜め交差状に組み合わせて（図１乃至図３参照）構成されている。ここで傾斜支柱部材３は、垂直支柱部材２に対して、傾斜角度可変自在な状態に組み合わされているので、垂直支柱部材２の顔へのセットが完了した後に、垂直支柱部材２の位置を変化させることなく傾斜支柱部材２の傾斜角のみを自由に変化させることが可能となる。傾斜支柱部材３の基準点Ｐよりも下方に位置する部分は、特に存在する必要はない部分であるが、傾斜角調整操作の段階で指で摘んだりして扱い易くなるような場合には、基準点Ｐより下方に延伸するように配置することも可能である。
【００１８】
垂直支柱部材２は、基準点Ｐから両外側に向かう均等な位置を決定することができるものであり、本明細書において「均等」とは１：０．９〜１：１．１の範囲内のものをすべて含む意味で使用するものである。
また垂直支柱部材２は、自身が垂直状態を保つことができる程度の保型性を有するものである。さらには一旦折り曲げてさらに元の垂直状態に復帰させることができる折り曲げ復帰が可能となる素材で形成することもでき、一例としてアルミや錫などの軽金属、可撓性合成樹脂、ゴムなどを適宜選択し、あるいはこれらを適宜組み合わせるようにしてもよい。
【００１９】
垂直支柱部材２には、基準点Ｐから両外側方向に向かう寸法目盛１３を形成するもの（図２参照）とか、基準点Ｐから両外側方向に均等に伸縮する構造のものとか、基準点Ｐから折り曲げ可能な構造のもの（図３参照）などがある。  
【００２０】
また傾斜支柱部材３は、自身が傾斜状態を保つことができる程度の保型性を有するものであれば、垂直支柱部材２と同様の素材であっても、あるいはそれ以外の素材であってもかまわない。
【００２１】
ついで垂直支柱部材２と傾斜支柱部材３との各上部付近間に、水平連結部材４が掛け渡される状態で取り付けられる。この水平連結部材４は、厚紙、合成樹脂材、木材、金属材などの適宜の素材で形成され、そこには予めバランスの良い眉型の形状にくりぬかれた眉テンプレート５を配設しておくこともできる。
【００２２】
ここで水平連結部材４の両端付近は、垂直支柱部材２と傾斜支柱部材３の各上部付近に、各部材の長手方向に平行スライド移動自在となる状態で係止されており、この水平連結部材４の垂直支柱部材２との交点付近が眉頭部６の位置を指し示し、水平連結部材４の傾斜支柱部材３との交点付近が眉尻部７の位置を指し示すことになる。
水平連結部材４に眉テンプレート５を形成した場合には、眉頭部６は垂直支柱部材２と重なり合う位置にセットされ、同じく眉尻部７は傾斜支柱部材３と重なり合う位置にセットされるようになる。
【００２３】
また水平連結部材４の眉テンプレート５部には、ネット状の生地などで形成されるメッシュ部材８が配設される。このメッシュ部材８は、アイブローの顔面への筆圧が高くなるのを抑えるとともにベタ塗りを抑える効果があり、その結果アイブローが濃く塗られることを防止し、程よい濃さ（自然な感じ）の眉型が描けることになる。
【００２４】
次に実際の使用例を説明する。
まず図１に示すように、垂直支柱部材２の基準点Ｐの位置で傾斜支柱部材３が交差するように組み合わせ、その基準点Ｐ（交差ポイント）を小鼻の下（鼻穴の中心）に合わせ、垂直支柱部材２の下端１０をあご先に合わせ、垂直支柱部材２の上部は目頭１１の上を通過するようにセットし、垂直支柱部材２をほぼ垂直状となるように位置させる。
【００２５】
ついで垂直支柱部材２を基準点Ｐで上方に折り曲げ、垂直支柱部材２の下端１０と基準点Ｐを挟んで対象となる位置（すなわち、寸法Ｌ１と、寸法Ｌ２とが同寸法となる位置）を選定し、その位置に眉テンプレート５の眉頭部６を合わせて眉頭部位置を決める。ここで、寸法Ｌ１とは、基準点Ｐを中心として、あご先までの寸法を意味し、寸法Ｌ２とは、基準点Ｐを中心にして、上記寸法Ｌ１と線対称となる位置までの寸法を意味する。
【００２６】
なお必要に応じて、垂直支柱部材２に、傾斜支柱部材３との交差ポイントを基準点Ｐとして、その基準点Ｐから両外側に向かう（上下方向に伸びる）寸法目盛１３を付した場合には、垂直支柱部材２の折り曲げ操作を省略して、上記の寸法Ｌ１と寸法Ｌ２とが同寸となる位置を探り出すことで、眉頭部６の位置を決定することが可能となる。
同じく垂直支柱部材２を、基準点Ｐから両外側方向に均等に伸縮する構造のものとした場合にも、垂直支柱部材２の折り曲げ操作を省略して、上記の寸法Ｌ１と寸法Ｌ２とが同寸となる位置を探り出すことで、眉頭部６の位置を決定することが可能となる。
【００２７】
一方、傾斜支柱部材３の上部は目尻１２の上を通過するようにセットし、傾斜支柱部材３の傾斜角を調整する。平行スライド移動自在（高さ調整が自由）になっている水平連結部材４の高さ位置を眉頭部６の位置に合わせた後、水平連結部材４と傾斜支柱部材３とが交差する位置を探り出して、眉尻部７を決定する。
このセット状態が完成すると、水平連結部材４の正しい位置が完成する。
ここで正しい位置とは、日本人の平均顔から割り出された標準的な眉型の、眉頭部６の位置と、眉尻部７の位置のことを意味しており、多数のデータを集めて分析することで解明されている標準の眉の理論によるものである。
この理論に基づき、上記の使用例で説明したとおりの眉頭部６と眉尻部７との位置を決定することで、簡単にバランスの良い眉型を描くことができるようになる。
【００２８】
眉テンプレート５を利用する場合には、正しく割り出された眉型の眉頭部６の位置と眉尻部７の位置とを指し示すことができるように、眉テンプレート５を上記の使用手順と同様の結果が得られるように事前に準備しておくことになる。
このような眉テンプレート５利用すれば、アイブローを塗布して眉型を描くことで、正しい位置に簡単にバランスの良い眉型を描くことが可能となる。
【００２９】
ここで眉テンプレート５は、長さ寸法や太さ寸法や、あるいは眉山の形状の異なるタイプのものを複数用意しておき、使用者の好みに応じて自由に交換できるようにしておくと、利用価値は一層向上する。
また眉テンプレート５に、メッシュ部材８を配設しておくと、筆圧の高いアイブローのベタ塗りが制限され、自然に見える適度の濃さの眉型を完成させることが可能となる。
【００３０】
本発明に係る眉描き補助具は、１個で裏返し使用をすることで、左右の眉型を描くこともできるが、左右別個のものを予め用意しておくようにしてもよい。
【産業上の利用可能性】
【００３１】
本発明によれば、眉がほとんど無くなった顔面に対しても、自然な状態の眉を簡単に描くことができるので、サポートアイテムとしての眉描き補助具を取り扱う分野で利用可能である。
【図面の簡単な説明】
【００３２】
【図１】本発明の眉描き補助具の斜視図である。
【図２】垂直支柱部材に寸法目盛を備え、水平連結部材に眉テンプレートを備えた例の眉描き補助具の正面図である。
【図３】本発明の眉描き補助具の垂直支柱部材を折り曲げて眉頭位置を決める状態を示す正面図である。
【図４】図２におけるＡ−Ａ線の拡大断面図である。
【符号の説明】
【００３３】
１  眉描き補助具
２  垂直支柱部材
３  傾斜支柱部材
４  水平連結部材
５  眉テンプレート
６  眉テンプレートの眉頭部
７  眉テンプレートの眉尻部
８  メッシュ部材
１０  垂直支柱部材の下端
１１  目頭
１２  目尻
１３  寸法目盛
Ｐ    基準点
Ｃ    水平連結部材を係止する垂直支柱部材上の係止ポイント
Ｄ    水平連結部材を係止する傾斜支柱部材上の係止ポイント
Ｌ１  基準点を中心として、あご先までの寸法
Ｌ２  基準点を中心にして、寸法Ｌ１と線対称となる位置までの寸法
【図１】
2010184008.tif 000003
【図２】
2010184008.tif 000004
【図３】
2010184008.tif 000005
【図４】
2010184008.tif 000006